(57)【要約】【課題】簡単な構成で、サーマルリリーフ用の安全弁を別途必要としない仕切弁を提供する。【解決手段】先端に第１弁体７を有する第１弁棒６と、第１弁棒６内部に装入され先端に第２弁体９を有する第２弁棒８と、第１弁体７を貫通し第１弁棒６内部を介して仕切弁外部に連通するバイパス孔７ａとを備え、バイパス孔７ａを第２弁体９で閉じる方向に第２弁棒８を付勢する圧縮コイルバネ１０を設けた構成とする。【選択図】　　　図１
2004144129.tif 000002
【特許請求の範囲】
【請求項１】
先端に第１の弁体を有する第１の弁棒と、該第１の弁棒内部に装入され先端に第２の弁体を有する第２の弁棒と、前記第１の弁体を貫通し前記第１の弁棒内部を介して仕切弁外部に連通するバイパス孔とを備え、該バイパス孔を前記第２の弁体で閉じる方向に前記第２の弁棒を付勢する付勢手段を設けたことを特徴とする仕切弁。
【請求項２】
前記付勢手段の付勢力を調整する調整手段を設けたことを特徴とする請求項１に記載の仕切弁。
【発明の詳細な説明】
【０００１】
【発明の属する技術分野】
本発明は、仕切弁に関するものであり、更に詳しくは、冷却水配管用等に適した仕切弁に関するものである。
【０００２】
【従来の技術】
従来より、例えば油圧機器の作動油等の、温度上昇を伴うオイルを冷却するために、水冷式オイルクーラー等が用いられている。そして、水冷式オイルクーラー等の冷却水側に、クーラー隔離用の仕切弁が設置されている場合は、安全のためにサーマルリリーフ用の安全弁を別途設けることがある。図３は、このような安全弁を設けたクーラーの冷却水配管系統を模式的に示す図である。同図において、２１はクーラー、２２は仕切弁である入口弁、２３は仕切弁である出口弁、２４は安全弁である。
【０００３】
冷却水は、矢印ａで示すように入口弁２２より導入され、クーラー２１を経て、出口弁２３から矢印ｂのように排出される。この場合、例えば出口弁２３の開け忘れ等で、冷却水が所定の水圧以上になったときは、出口弁２３の手前で分岐する配管の先に設けた安全弁２４が開き、ここへ矢印ｃのように冷却水が流れ、ここから矢印ｄのように排出される。以上のような構成により、配管設備の安全性を確保している。
【０００４】
【発明が解決しようとする課題】
しかしながら、上述したような従来の構成では、仕切弁の他にこのようなサーマルリリーフ用の安全弁を手配したり、配管に安全弁取付用のボスを設置したりする必要がある。特に、配管系統の規模によっては安全弁を多数に使用することがあるので、このような場合には配管に工数がかかり、また安全性の確保も難しくなる。さらには非常なコストアップとなる。
【０００５】
本発明は、このような問題点に鑑み、簡単な構成で、サーマルリリーフ用の安全弁を別途必要としない仕切弁を提供することを目的とする。
【０００６】
【課題を解決するための手段】
上記目的を達成するために、本発明では、先端に第１の弁体を有する第１の弁棒と、その第１の弁棒内部に装入され先端に第２の弁体を有する第２の弁棒と、前記第１の弁体を貫通し前記第１の弁棒内部を介して仕切弁外部に連通するバイパス孔とを備え、そのバイパス孔を前記第２の弁体で閉じる方向に前記第２の弁棒を付勢する付勢手段を設けたことを特徴とする。
【０００７】
また、前記付勢手段の付勢力を調整する調整手段を設けたことを特徴とする。
【０００８】
【発明の実施の形態】
以下、本発明の実施の形態について、図面を参照しながら説明する。図１は、本発明の一実施形態の仕切弁を模式的に示す縦断面図である。同図は玉形弁の場合を例示している。同図において、１は玉形状の弁箱であり、これには内部の空洞を上下に仕切る仕切板２が設けられている。仕切板２下側の空間は、配管接続用の入口側フランジ３に連通している。また、仕切板２上側の空間は、配管接続用の出口側フランジ４に連通している。
【０００９】
また、弁箱１の上側には、キャップ状の副室５が設けられており、これの側面には排水口５ａが開けられている。そして、これら副室５及び弁箱１を上下に筒状の第１弁棒６が貫通している。第１弁棒６の下端には、テーパ状の第１弁体７が取り付けられており、一方、仕切板２の略中央には、弁座となる孔２ａが開口している。この孔２ａに第１弁体７のテーパ部が嵌合することにより、弁が閉じる仕組みである。また、弁箱１と第１弁棒６とは図示しないネジ部により螺合しており、第１弁棒６をこれの上部周囲に設けられたハンドル６ａで回転させることにより、第１弁棒６ひいては第１弁体７が上下し、弁の開閉が行われる。
【００１０】
加えて、第１弁棒６の内部には、軸状の第２弁棒８が装入されている。そして、第２弁棒８の下端には、テーパ状の第２弁体９が取り付けられており、一方、第１弁体７の略中央には、弁座となるバイパス孔７ａが貫通している。このバイパス孔７ａに第２弁体９のテーパ部が嵌合することにより、弁が閉じる仕組みである。このとき、第２弁棒８の上端には圧縮コイルバネ１０が取り付けられており、これが第１弁棒上端の天井面を押圧して、その反作用で第２弁棒８が押し下げ方向に付勢されている。
【００１１】
さて、同図のように第１弁体７により孔２ａが閉じた状態で、入口側フランジ３より弁箱１に導入された冷却水は、矢印Ａで示すように、第１弁体７のバイパス孔７ａを通って第２弁体９を押圧する。このとき、冷却水が圧縮コイルバネ１０の弾性力にうち勝つ所定の水圧以上を有していると、第２弁体９は押し上げられ、バイパス孔７ａが開いて冷却水が第１弁棒６内部に入り込む。さらに、第１弁棒の側面には副室５内で孔６ｂが開口しているので、ここから冷却水が矢印Ｂで示すように副室５内に流れ込み、更に矢印Ｃで示すように排水口５ａより外部へ排出される。なお、６ｃは圧縮コイルバネ１０側へ冷却水が流れ込むのを防止するシールである。
【００１２】
上述したように、本発明の仕切弁にはサーマルリリーフの機能が組み込まれている。これにより、別途安全弁を手配したり、配管に安全弁取付用のボスを設置したりする必要がなくなり、配管工数の削減やコストの低減につながる。また、本実施形態のようにフランジ取り合いの仕切弁とした場合、交換が容易となり、簡単な作業で既設設備の安全性を高めることができる。なお、本実施形態では玉形弁を例に挙げて説明したが、これに限定されるものでは勿論なく、弁棒を有するものであれば何れの種類の弁にも上述したようなサーマルリリーフの機能を組み込むことができる。
【００１３】
図２は、本実施形態の仕切弁の変形例を示す図であり、第１弁棒６の上端付近を拡大して示す縦断面図である。同図に示すように、ここでは第１弁棒６上端部の内壁に雌ネジ部６ｄを設け、これにボルト１１を螺合させている。ボルト１１の先端には圧縮コイルバネ１０が当接しており、ボルト１１を回転させることにより上下させると、圧縮コイルバネ１０が伸縮する。これにより、第１弁体７のバイパス孔７ａに対する第２弁体９の押圧力が変化するので、サーマルリリーフ機能が働く冷却水の水圧を調整，設定することができる。
【００１４】
なお、圧縮コイルバネを使用する構成には限定されるものではなく、弁体を付勢することができるものであれば何を使用しても構わない。また、特許請求の範囲で言う付勢手段は、実施形態における圧縮コイルバネに対応しており、調整手段はボルトに対応している。
【００１５】
【発明の効果】
以上説明したように、本発明によれば、簡単な構成で、サーマルリリーフ用の安全弁を別途必要としない仕切弁を提供することができる。具体的には、仕切弁にサーマルリリーフの機能を組み込むことにより、別途安全弁を手配したり、配管に安全弁取付用のボスを設置したりする必要がなくなるので、配管工数の削減やコストの低減を図ることができる。
【図面の簡単な説明】
【図１】本発明の一実施形態の仕切弁を模式的に示す縦断面図。
【図２】本実施形態の仕切弁の変形例を示す図。
【図３】安全弁を設けたクーラーの冷却水配管系統を模式的に示す図。
【符号の説明】
１　　弁箱
２　　仕切板
３　　入口側フランジ
４　　出口側フランジ
５　　副室
６　　第１弁棒
７　　第１弁体
８　　第２弁棒
９　　第２弁体
１０　　圧縮コイルバネ
１１　　ボルト
【図１】
2004144129.tif 000003
【図２】
2004144129.tif 000004
【図３】
2004144129.tif 000005